(57)【特許請求の範囲】
【請求項１】
人体の創腔等から排液を吸引および貯留する医療用排液用具であって、
前記創腔等に挿入されるカテーテルが連結される連結チューブと、
弾性体で中空の球状に形成されていて前記連結チューブが上部に連結されている吸引器と、
前記吸引器の下部に連結されている排液管と、
前記排液管より外側の位置で前記吸引器の少なくとも下部を支持する上面開口の椀状の支持部材と、
を有する医療用排液用具。
【請求項２】
前記排液管が前記排液を貯留する貯留バッグに配管されており、
前記支持部材は前記貯留バッグの上縁部も支持している請求項１に記載の医療用排液用具。
【請求項３】
前記貯留バッグを懸架する懸架部材を、さらに有しており、
前記懸架部材が前記支持部材に連結されている請求項１または２に記載の医療用排液用具。
【請求項４】
前記吸引器が発生する最大の圧力が−１０〜−３０ｍｍＨｇである請求項１ないし３の何れか一項に記載の医療用排液用具。
【請求項５】
前記吸引器が発生する最大の圧力が約−２０ｍｍＨｇである請求項４に記載の医療用排液用具。
【発明の詳細な説明】
【技術分野】
【０００１】
本発明は、人体の創腔等から滲出液等の排液を吸引および貯留する医療用排液用具に関する。
【背景技術】
【０００２】
現在、人体の創腔等から滲出液等の排液を吸引および貯留するために医療用排液用具が利用されている。例えば、第一の接続部材を有する第一の流入口および第一の開閉部材を有する第一の排出口を備え、かつ、陰圧発生機能を有した第一の容器本体と、第二の接続部材を有する第二の流入口および第二の開閉部材を有する第二の排出口を備えた袋状の第二の容器本体と、からなり、第一の容器本体の第一の排出口と、第二の容器本体の第二の接続部材と、が着脱自在な医療用排液用具の提案がある(特許文献１)。
【０００３】
このような医療用排液用具では、人体創腔から滲出液等の排液を取り去る手段として自然排出法と吸引排出法を適宜選択することができ、カテーテルと容器との脱着する手間を省くことができると共に、感染の危険性を少なくすることができる。
【先行技術文献】
【特許文献】
【０００４】
【特許文献１】特開２００８−２０６８７９号公報
【発明の概要】
【発明が解決しようとする課題】
【０００５】
特許文献１の医療用排液用具は、陰圧発生機能により人体創腔から排液を吸引排出することができる。特許文献１の医療用排液用具は、上述のように排液を吸引する負圧を、弾性体で中空の球状に形成されている吸引器で発生している。
【０００６】
従来の医療用排液用具では、上述のような吸引器で、例えば、−５０ｍｍＨｇなどの圧力を発生していた。このような負圧を発生する吸引器は、その負圧を発生するように充分に肉厚に形成されるため、充分な機械的な強度を有していた。しかし、本発明者は上述のような比較的高めの負圧を患者に負荷することなく排液を吸引することを試みた。
【０００７】
そこで、本発明者は負圧が最大でも充分に低圧となる医療用排液用具を試作した。しかし、このような低圧を発生するためには、肉厚や硬度を調節するなどして、吸引器を充分に柔軟に形成する必要がある。このため、吸引器の機械的な強度が不足し、例えば、上部に連結されている連結チューブやカテーテルの重量のために、吸引器に屈曲や座屈などの変形が発生することが確認された。
【０００８】
本発明は上述のような課題に鑑みてなされたものであり、中空の球状の吸引器を充分に柔軟に形成しても機械的な強度を確保することができる医療用排液用具を提供するものである。
【課題を解決するための手段】
【０００９】
本発明の医療用排液用具は、人体の創腔等から排液を吸引および貯留する医療用排液用具であって、創腔等に挿入されるカテーテルが連結される連結チューブと、弾性体で中空の球状に形成されていて連結チューブが上部に連結されている吸引器と、吸引器の下部に連結されている排液管と、排液管より外側の位置で吸引器の少なくとも下部を支持する上面開口の椀状の支持部材と、を有する。
【００１０】
従って、本発明の医療用排液用具では、人体の創腔等にカテーテルが挿入される。そのカテーテルが連結される連結チューブが上部に連結されている吸引器が負圧を発生するので、人体の創腔等から排液が吸引される。その排液は連結チューブから中空の吸引器、排液管、を経由して貯留バッグなどに排出され、貯留される。上述のような吸引の負圧を充分に低圧とするためには、吸引器を充分に柔軟に形成する必要がある。しかし、この吸引器は排液管より外側の位置で支持部材により支持されている。このため、上部に連結されている連結チューブなどの重量のために、柔軟な吸引器に屈曲や座屈などの変形が発生することが防止される。
【００１１】
また、上述のような医療用排液用具において、排液管が排液を貯留する貯留バッグに配管されており、支持部材は貯留バッグの上縁部も支持していてもよい。
【００１２】
また、上述のような医療用排液用具において、貯留バッグを懸架する懸架部材を、さらに有しており、懸架部材が支持部材に連結されていてもよい。
【００１３】
また、上述のような医療用排液用具において、吸引器が発生する最大の圧力が−１０〜−３０ｍｍＨｇであってもよい。
【００１４】
また、上述のような医療用排液用具において、吸引器が発生する最大の圧力が約−２０ｍｍＨｇであってもよい。
【００１５】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１６】
また、本発明で云う椀状とは、球形の下半部より下位の部分を支持する上面開口の形状を意味しており、具体的には、球状の吸引器の下半部より下位の部分を支持する形状に形成されていればよい。
【発明の効果】
【００１７】
本発明の医療用排液用具では、吸引器が排液管より外側の位置で支持部材により支持されている。このため、吸引の負圧を充分に低圧とするために吸引器を充分に柔軟に形成しても、その上部に連結されている連結チューブなどの重量のために、吸引器に屈曲や座屈などの変形が発生することを防止できる。
【図面の簡単な説明】
【００１８】
【図１】本発明の実施の形態の医療用排液用具の構造を示す模式的な縦断正面図である。
【発明を実施するための形態】
【００１９】
本発明の実施の一形態を図面を参照して以下に説明する。本実施の形態の医療用排液用具１００は、人体の創腔等から滲出液等の排液を吸引および貯留することに利用される(図示せず)。
【００２０】
このため、本実施の形態の医療用排液用具１００は、図１に示すように、創腔等に挿入されるカテーテル(図示せず)と、カテーテルが先端部分１１１に連結される連結チューブ１１０と、弾性体で中空の球状に形成されていて連結チューブ１１０が上部１２１に連結されている吸引器１２０と、吸引器１２０の下部１２２に連結されている排液管１３０と、排液管１３０より外側の位置で吸引器１２０の少なくとも下部を支持する上面開口の椀状の支持部材１４０と、を有する。
【００２１】
さらに、本実施の形態の医療用排液用具１００では、排液管１３０が排液を貯留する貯留バッグ１５０に配管されており、支持部材１４０は貯留バッグ１５０の上縁部１５１も支持している。また、貯留バッグ１５０を懸架する懸架部材１６０も有しており、懸架部材１６０が支持部材１４０に連結されている。
【００２２】
より具体的には、連結チューブ１１０の先端部分１１１は、人体の創腔等から滲出液等の排液を吸引するカテーテルが連結される既存の構造に形成されている。連結チューブ１１０の末端部分１１２は、排液が固化しても閉塞することがない充分な内径で吸引器１２０の上部１２１に連結されている。
【００２３】
吸引器１２０は、例えば、外径５０ｍｍ、内径４６ｍｍ、肉厚２ｍｍ、の球形に硬さ(デュロメータＡ)５０のシリコーンゴムで形成されており、その材料硬度や製品肉厚を調節することにより、発生する最大の圧力が−１０〜−３０ｍｍＨｇ、より好適には、約−２０ｍｍＨｇ、であるように形成されている。
【００２４】
排液管１３０は、吸引器１２０より充分に高硬度な樹脂等で形成されており、やはり排液が固化しても閉塞することがない充分な内径の直管からなる。排液管１３０は、吸引器１２０の下部に接着で一体に固着されているとともに、貯留バッグ１５０に溶着で一体に固着されている。
【００２５】
なお、連結チューブ１１０の末端部分１１２と排液管１３０の下端部分１３１には一方弁(図示せず)が装着されている。支持部材１４０は、例えば、所定硬度の樹脂で横長形状に形成されており、貯留バッグ１５０の上縁部１５１を支持している。支持部材１４０の両端には懸架部材１６０が連結されているので、この懸架部材１６０で懸架される支持部材１４０により貯留バッグ１５０が支持される。
【００２６】
支持部材１４０は、排液管１３０の外側に位置する中央の部分１４１で吸引器１２０を支持している。この支持部材１４０の中央の部分１４１は、球状の吸引器１２０の下部を、変形させることなく支持する上面開口の椀状に形成されている。
【００２７】
この上面開口の椀状の部分１４１は、連結チューブ１１０の重量により屈曲や座屈等の変形が発生しないように柔軟な吸引器１２０の下部を支持する形状に形成されている。より具体的には、この支持部材１４０の部分１４１は、吸引器１２０の外径に対応した直径５０ｍｍの内径で、上面開口の直径が約３６ｍｍに形成されている。
【００２８】
この貯留バッグ１５０は、上部に通気口１５２が形成されており、この通気口１５２に疎水性の通気フィルタ１５３が装着されている。貯留バッグ１５０の外面には、貯留された排液の容量を示す目盛(図示せず)が表記されている。
【００２９】
上述のような構成において、本実施の形態の医療用排液用具１００では、人体の創腔等にカテーテルが挿入される(図示せず)。このような状態で吸引器１２０を作業者(図示せず)が収縮させることにより、この収縮から復元する吸引器１２０がカテーテルに約−２０ｍｍＨｇの圧力を発生させる。
【００３０】
この負圧により人体の創腔等から滲出液等の排液がカテーテルから連結チューブ１１０を経由して吸引器１２０まで吸引される。このように吸引された排液は、中空の吸引器１２０と下部の排液管１３０とを経由して貯留バッグ１５０に排出され、貯留される。
【００３１】
この貯留バッグ１５０は通気口１５２が形成されているので、その内部は大気圧に常時維持されている。そこで、この貯留バッグ１５０に貯留された排液の容量は目盛により読み取られる。
【００３２】
なお、貯留バッグ１５０の通気口１５２には疎水性の通気フィルタ１５３が装着されているので、排液は貯留バッグ１５０に円滑に排出され、貯留バッグ１５０の外部から内部に雑菌などが侵入することがない。また、貯留バッグ１５０は、上縁部１５１が支持部材１４０で支持されているので、排液を貯留しても不要に変形することがなく、目盛を正確に読み取ることができる。
【００３３】
さらに、貯留バッグ１５０は、支持部材１４０の両端に連結されている懸架部材１６０で懸架されるので、その取り扱いが容易である。そして、このような支持部材１４０の排液管１３０の外側に位置する中央の部分１４１で吸引器１２０が支持されている。
【００３４】
このため、上述のように負圧が充分に低圧となるように吸引器１２０の硬度や肉厚を調節し、吸引器１２０を充分に柔軟に形成しても、上部１２１に連結されている連結チューブ１１０などの重量のために、吸引器１２０に屈曲や座屈等の変形が発生することを防止できる。
【００３５】
特に、吸引器１２０を支持する支持部材１４０は懸架部材１６０で懸架される。このため、連結チューブ１１０などの重量のために吸引器１２０が傾斜しても、これに対応して支持部材１４０が傾斜し、その中央の部分１４１による吸引器１２０の支持を維持することができる。
【００３６】
しかも、本実施の形態の医療用排液用具１００では、充分な内径の直管からなる排液管１３０が、吸引器１２０に接着されているとともに、貯留バッグ１５０に溶着されている。このため、排液管１３０が固化した排液で閉塞されることを防止できる。
【００３７】
なお、本発明は本実施の形態に限定されるものではなく、その要旨を逸脱しない範囲で各種の変形を許容する。また、上述した実施の形態では、各部の構造などを具体的に説明したが、その構造などは本願発明を満足する範囲で各種に変更することができる。
【００３８】
例えば、上記形態では吸引器１２０の下部を支持する支持部材１４０の椀状の部分１４１が、支持部材１４０の貯留バッグ１５０を支持する他部などと一体に形成されていることを例示した。
【００３９】
しかし、この椀状の部分１４１が支持部材１４０の他部に着脱自在に装着されていてもよい(図示せず)。この場合、例えば、連結チューブ１１０の重量で吸引器１２０が傾斜したときに、椀状の部分１４１もともに傾斜して吸引器１２０の下部の支持を維持するようなことができる。
【符号の説明】
【００４０】
１００    医療用排液用具
１１０    連結チューブ
１１１    先端部分
１１２    末端部分
１２０    吸引器
１２１    上部
１２２    下部
１３０    排液管
１３１    下端部分
１４０    支持部材
１４１    部分
１５０    貯留バッグ
１５１    上縁部
１５２    通気口
１５３    通気フィルタ
１６０    懸架部材
【図１】
0005445268.tif 000002